(57)【特許請求の範囲】
【請求項１】
第一アンテナ素子およびその第一アンテナ素子に電気的に接続された給電金具を有するトップ部と、上記トップ部に絶縁ジョイント部を介して連結された第一段目の部材が、第二段目のコイル部内に導通状態で配された第二アンテナ素子としてのホイップ部と、上記ホイップ部を収納自在に保持するホルダー部とを備え、上記コイル部を構成する帯状体の断面形状が、外方面側に突起または凹部を有する略方形であり、そのコイル部の外周面には、上記突起どうしの間または凹部そのものが繋がって形成された螺旋状の窪み部を備え、そのコイル部の上下端に装着される抜け止め用の上ストッパまたは下ストッパが上記窪み部に食い込まされるよう上記コイル部の軸線方向に対して直交する水平方向で複数箇所をリング状にカシメ固定され、そのカシメ位置の間隔を、上記コイル部の窪み部のＮターン（Ｎは０を含む整数）間のピッチ＋１ターン分の１／２ピッチとしたアンテナ。
【請求項２】
上ストッパまたは下ストッパのリング状のカシメ固定部分が、ドット状にカシメ固定された請求項１記載のアンテナ。
【発明の詳細な説明】
【０００１】
【発明の属する技術分野】
本発明は、携帯電話に代表される携帯用無線通信機器、またはＰＤＡに代表される携帯用情報端末機器等に使用されるアンテナに関するものである。
【０００２】
【従来の技術】
近年、携帯電話等の携帯用無線通信機器が普及してきており、この通信機器には、通常、その通話および自機が位置する情報を送受信するためのアンテナが備えられている。
【０００３】
そして、そのアンテナとしては、携帯機器の非使用時に筐体内に収納可能な多段のテレスコープ状でホイップ式のものが好まれて使用されるようになってきた。
【０００４】
このような従来のホイップ式のアンテナについて、図面を用いて以下に説明する。
【０００５】
図８は、従来のホイップ式のアンテナが伸張された状態を示す断面図、図９は、同図８に示すアンテナが使用機器の筐体に収納された状態を示す断面図である。
【０００６】
同図において、１は、ヘリカルコイル状に形成された第一アンテナ素子であり、その第一アンテナ素子１の周囲が樹脂で覆われてトップ部２が構成されている。
【０００７】
そして、このトップ部２は、下方部分に、上記第一アンテナ素子１の一端部に電気的に接続された導電金属製からなる円筒状の給電金具３を有している。
【０００８】
そして、このトップ部２の下方に、絶縁樹脂からなるジョイント部４を介してホイップ部５が同軸上に連結固定されている。
【０００９】
つまり、給電金具３を含むトップ部２とホイップ部５とは、ジョイント部４により絶縁状態で配されている。
【００１０】
そして、このホイップ部５は、導電金属線６Ａがチューブ６Ｂで被覆された可撓性を有する直線状素子６が一段目の部分となり、この直線状素子６の下部が、断面形状が略小判状の帯状体を螺旋状に巻き回して形成されたコイル部８の孔８Ａ内に挿通されている。
【００１１】
そして、直線状素子６の下端には、内バネ７が直線状素子６に導通して装着されている。
【００１２】
この内バネ７は、外側に突出した円弧状部７Ａがコイル部８の内壁に弾接し、直線状素子６とコイル部８とは、内バネ７を介して導通している。
【００１３】
そして、９は、段差付き中央孔１０を備えた黄銅からなる円筒状の上ストッパであり、その段差付き中央孔１０は、平坦に形成された中間段部１０Ａを境にして、上方が直線状素子６を挿通可能な細径円形孔１０Ｂ、下方が内周壁にネジ部１０Ｃを備えた大径孔部１０Ｄとなっている。
【００１４】
この大径孔部１０Ｄのネジ部１０Ｃは、コイル部８の略小判状の隣り合う帯状体間で構成される螺旋状の窪み部１１に螺合可能に形成されている。
【００１５】
そして、上記上ストッパ９は、細径円形孔１０Ｂに直線状素子６を挿通させた状態で、大径孔部１０Ｄが、コイル部８の窪み部１１にねじ込まれてコイル部８の上端に固定されている。
【００１６】
このときコイル部８の上端は、上ストッパ９の中間段部１０Ａに当接しており、コイル部８の上方への位置規制する機能を有する。
【００１７】
また、コイル部８内に収容可能に配された直線状素子６も、伸張された際に、内バネ７の上部に装着されたスペーサ１２が中間段部１０Ａに当接して上方位置を規制されるようになっている。
【００１８】
さらに、コイル部８外周を被覆しているチューブ１３の上部も、上ストッパ９で固定されている。
【００１９】
一方、１４は、コイル部８の下端に配された下ストッパで、コイル部８と電気的に接続されている。
【００２０】
この下ストッパ１４も、上ストッパ９と同様に、上方開口穴部１５Ｂの内周壁に、コイル部８の外周面の窪み部１１に対応するネジ部１５Ａを備え、コイル部８の下端から螺合されて固定され、コイル部８の下方位置を底面で規制する機能を有すると共に、チューブ１３の下部を固定している。
【００２１】
そして、上記のように構成されたホイップ部５は、円筒状に形成された金属製のホルダ１６の孔１６Ａ内に収納自在に配され、その孔１６Ａ内には、給電金具３または下ストッパ１４の外周面を保持可能な外バネ１７が配設されている。
【００２２】
以上のように従来の二段ホイップ式のアンテナは構成されるものであり、このアンテナは、使用機器である携帯電話の筐体１８にホルダ１６を固定することによって、機械的かつ電気的に携帯電話に装着される。
【００２３】
そして、上記携帯電話を用いて電話をかける場合等に、上記アンテナのホイップ部５を伸張させると、内バネ７を介して電気的に接続されている直線状素子６とコイル部８とが筐体１８内から同軸上に引き出された状態になると共に、下ストッパ１４の外周部をホルダ１６の外バネ１７が、弾接保持するようになる（図８参照）。
【００２４】
このとき、アンテナとして機能するホイップ部５における送受信信号は、下ストッパ１４、外バネ１７およびホルダ１６を介して筐体１８内の電気回路（図示せず）に伝達される。
【００２５】
一方、図９に示すようにホイップ部５が使用機器である携帯電話の筐体１８内に収納状態である場合には、外バネ１７は給電金具３の外周部を弾接保持している。
【００２６】
この場合には、トップ部２の第一アンテナ素子１がアンテナとして機能し、その送受信信号は給電金具３、外バネ１７およびホルダ１６を介して筐体１８内の電気回路に伝達される。
【００２７】
そして、上記のいずれの状態であっても同じ送受信周波数帯域が送受信できるよう、ホイップ部５およびトップ部２の第一アンテナ素子１の有効線路長は、同一長に整合を取っているものであった。
【００２８】
【発明が解決しようとする課題】
しかしながら上記従来のアンテナにおいては、コイル部８に対して上ストッパ９および下ストッパ１４を、螺合させて固定するものであったため、組立作業工数がかかり、それらの固定状態にガタツキが発生すると、ホイップ部５の伸張時における対応周波数帯域が変動してしまうので、コイル部８の窪み部１１およびそれぞれのネジ部１０Ｃおよび１５Ａを精度よく形成して螺合させなければならないという課題があった。
【００２９】
そして、上ストッパ９および下ストッパ１４は、そのネジ部１０Ｃおよび１５Ａを大径孔部１０Ｄおよび上方開口穴部１５Ｂの内周壁に形成しなくてはならなかったので形成工数がかかると共に、そららの材質として、加工性がよい材質のもの、例えば比重の大きい黄銅に限定されてしまい、近年の携帯機器の軽量化への対応がし難いものであった。
【００３０】
本発明は、このような従来の課題を解決するものであり、ホイップ部のコイル部に装着される上ストッパおよび下ストッパが、材質に依存しない簡単な形状のものですみ、かつ、それらがコイル部に対して製造工数少なく強固に固定されたアンテナを提供することを目的とする。
【００３１】
【課題を解決するための手段】
上記目的を達成するために本発明は、以下の構成を有するものである。
【００３２】
本発明の請求項１に記載の発明は、第一アンテナ素子およびその第一アンテナ素子に電気的に接続された給電金具を有するトップ部と、上記トップ部に絶縁ジョイント部を介して連結された第一段目の部材が、第二段目のコイル部内に導通状態で配された第二アンテナ素子としてのホイップ部と、上記ホイップ部を収納自在に保持するホルダー部とを備え、上記コイル部を構成する帯状体の断面形状が、外方面側に突起または凹部を有する略方形であり、そのコイル部の外周面には、上記突起どうしの間または凹部そのものが繋がって形成された螺旋状の窪み部を備え、そのコイル部の上下端に装着される抜け止め用の上ストッパまたは下ストッパが上記窪み部に食い込まされるよう上記コイル部の軸線方向に対して直交する水平方向で複数箇所をリング状にカシメ固定され、そのカシメ位置の間隔を、上記コイル部の窪み部のＮターン（Ｎは０を含む整数）間のピッチ＋１ターン分の１／２ピッチとしたアンテナとしたものであり、コイル部が、外方面側に突起または凹部を有する略方形の断面形状の帯状体を用いて構成されたものであるため、コイル部外周面の螺旋状の窪み部は所定幅で大きい段差を備えたものにでき、上ストッパや下ストッパのコイル部に係合させる箇所を材質に依存しない簡単な円筒形状に形成してコイル部に挿通させ、上記コイル部の軸線方向に対して直交する水平方向で複数箇所をリング状に押込み加工等してカシメ固定するのみという少ない工数で、その窪み部に上記円筒形状の内壁部を食い込ませて上ストッパや下ストッパを強固にコイル部に固定できる。このとき、カシメ固定する複数箇所を上記仕様とすれば、コイル部の中心軸線に対して対称方向に位置する窪み部の部分をそれぞれのリング状のカシメ部分に含んでカシメ固定できるため、上ストッパまたは下ストッパが強固でガタツキが少なくカシメ固定できる。これによって、上ストッパや下ストッパが簡単な形状ですむため、加工性は少し劣るが比重の小さいアルミニウムなどの材質を採用することも可能となり、アンテナを軽量化することもできるという作用を有する。
【００３９】
【発明の実施の形態】
以下、本発明の実施の形態について、図１〜図７を用いて説明する。
【００４０】
なお、従来の技術の項で説明した構成と同一構成の部分には同一符号を付して、詳細な説明を省略する。
【００４１】
（実施の形態１）
以下に実施の形態１の説明をする。
【００４２】
図１は、本発明の一実施の形態によるホイップ式のアンテナが伸張された状態を示す断面図、図２は同図１に示すアンテナが使用機器の筐体に収納された状態を示す断面図、図３は、同図１の状態に相当する外観斜視図である。
【００４３】
同図に示すように、トップ部２は、外形が砲弾状に形成された樹脂内にヘリカルコイル状の第一アンテナ素子１が内包されて固定されていると共に、その砲弾状の下部に、第一アンテナ素子１の一端部に電気的に接続された導電金属製の円筒状の給電金具３が下方に突出状態に装着されたものとなっている。
【００４４】
そして、このトップ部２の下方同軸上に、絶縁樹脂からなるジョイント部４を介してトップ部２とは絶縁状態でホイップ部２１が連結固定されている。
【００４５】
このジョイント部４と接続されたホイップ部２１の一段目の部分は、導電金属線６Ａがチューブ６Ｂで被覆された可撓性を有する直線状素子６で構成され、その直線状素子６の下端には、内バネ７が直線状素子６に導通状態で装着されている。
【００４６】
そして、この直線状素子６の下部は、後述する形状の帯状体２３を螺旋状に巻き回して形成されたコイル部２２の孔２２Ａ内に挿通され、上記内バネ７の外方側に突出した円弧状部７Ａは、上記孔２２Ａの内周壁に弾接し、その弾接力で、直線状素子６はコイル部２２の所定位置で停止可能に係合している。
【００４７】
この内バネ７を介して、直線状素子６とコイル部２２とは、常時電気的に接続された状態となっている。
【００４８】
そして、上記コイル部２２を構成している帯状体２３は、断面形状が、略方形で、その外方面側に台形形状の突起２３Ａを有するものとなっており、この帯状体２３が螺旋状に巻き回されることにより、コイル部２２の外周面には、隣り合う上記突起２３Ａどうしの間が繋がって形成された螺旋状の窪み部２４を有するものとなっている。
【００４９】
このとき、コイル部２２の外周面に形成された螺旋状の窪み部２４は、その幅が突起２３Ａどうし間のピッチで、その深さは突起２３Ａの高さからなる大きな幅や段差を有するものになっている。
【００５０】
なお、この帯状体２３は突起２３Ａを有するものであれば、断面形状が略方形のものに限定されることはなく、略小判形や、内周側の角部と外周側の角部のＲが異なる異形状のものであってもよい。
【００５１】
また、その突起２３Ａも、断面形状が山形の三角形状のものや、矩形のものであってもよいが、その配置箇所は、帯状体２３の中央位置に設けることが好ましい。
【００５２】
さらに、帯状体２３として突起２３Ａを設ける代わりに、外方面側に凹部を備えたものとし、その凹部が螺旋状に繋がるようにして螺旋状の窪み部を備えたコイル部としてもよい。
【００５３】
この場合にも、コイル部に形成された窪み部は、帯状体の凹部の幅や深さに応じた所定の大きな幅や段差のものとなる。
【００５４】
なお、上記のごとく異形の断面形状を持つ帯状体２３であっても、通常は、それを押し出し加工によって形成するものであるため、コイル部２２を構成する際に、加工工数などが大きく増大することはない。
【００５５】
そして、２６は、平坦に形成された中間段部２５Ａを境にして、上方が直線状素子６を挿通可能な細径円形孔２５Ｂ、下方がコイル部２２の径よりも少し大径の円形状の大径孔部２５Ｃとなっている段差付き中央孔２５を有する略円筒状の上ストッパである。
【００５６】
この上ストッパ２６は、細径円形孔２５Ｂに直線状素子６を収納可能に挿通された状態で、下方の大径孔部２５Ｃが、チューブ１３を被されたコイル部２２の上端に嵌め込まれ、コイル部２２の軸線方向に対して直交する水平方向に外方からリング状に複数箇所をカシメ固定されている。
【００５７】
そして、そのカシメ部２７における螺線状の窪み部２４に対応する部分は、大径孔部２５Ｃの外方から内方に向かって押込み加工等がなされて、大径孔部２５Ｃの内周壁が窪み部２４内に食い込むように固定されている。
【００５８】
なお、このときコイル部２２外周の窪み部２４は、チューブ１３で覆われるため、視認し難いが、上記のように螺旋状の窪み部２４に対して、コイル部２２の中心軸線に対して直交する水平方向でリング状のカシメ部２７によりカシメ固定する、すなわち螺旋状の窪み部２４に対してカシメ部２７を所定角度を持たせてカシメ固定するようにすると、上ストッパ２６のカシメ部２７内には、必ず螺旋状の窪み部２４に対応する位置が含まれることとなり、かつ、その窪み部２４は大きい幅や段差を有するものであるため、上ストッパ２６はコイル部２２に容易かつ強固に工数少なく固定されることとなる。
【００５９】
また、リング状のカシメ部２７として、コイル部２２の中心軸線に直交する水平方向にカシメ固定するようにすると、カシメ位置の上下方向の位置ずれ等が少なくできて、その中心軸線に向かう方向で全周を容易にカシメ固定できる。
【００６０】
さらに、その複数箇所にカシメられたリング状のカシメ部２７として、そのカシメ位置の間隔を、コイル部２２の窪み部２４のＮターン（Ｎは０を含む整数）間のピッチ＋その窪み２４の１ターン分の１／２ピッチの箇所を平行関係でそれぞれリング状にカシメ固定すると、コイル部２２の中心軸線に対して対称方向に位置する窪み部２４の一方および他方部分を、リング状のカシメ部２７にそれぞれ含んでカシメ固定できるため、上ストッパ２６はより強固で抜け難くカシメ固定されたものにできる。
【００６１】
この上ストッパ２６は、段差付き中央孔２５の平坦な中間段部２５Ａがコイル部２２の上端に当接状態に固定され、コイル部２２の上方への位置規制を行うと共に、チューブ１３の上部を固定する機能を有している。
【００６２】
また、コイル部２２内に収容可能に配された直線状素子６も、伸張された際に、内バネ７の上部に装着されたスペーサ１２が中間段部２５Ａに当接して上方位置を規制されるようになっている。
【００６３】
一方、コイル部２２の下端には、コイル部２２の下方位置を規制すると共に、チューブ１３の下部を固定する下ストッパ２８が、コイル部２２と導通状態で上ストッパ２６と同様に押込み加工等によってカシメ固定されている。
【００６４】
この下ストッパ２８のカシメ部２９の固定状態は、上ストッパ２６におけるカシメ部２７の状態と同じであるため、詳細な説明を省略する。
【００６５】
そして、上記構成のホイップ部２１は、円筒状に形成されたホルダ１６の孔１６Ａ内に収納自在に配されている。
【００６６】
このホルダ１６の孔１６Ａには、内側方向に突出した外バネ１７が配設され、この外バネ１７は、ホイップ部２１が収納されている場合には、給電金具３の外周面を弾接保持して上記収納状態を維持し、またホイップ部２１が引き出された場合には、下ストッパ２８の外周面を弾接保持して上記ホイップ部２１の伸張状態を維持できるものとなっている。
【００６７】
本実施の形態によるアンテナは、以上のように構成されるものであり、使用機器である携帯電話の筐体１８にホルダ１６を固定することによって、機械的かつ電気的に携帯電話に取り付けられることは、従来の技術の場合と同じである。
【００６８】
そして、上記携帯電話を用いて電話をかける場合等に、図１に示すように上記アンテナのホイップ部２１を伸張させると、上述のごとく互いに導通状態である直線状素子６とコイル部２２とが筐体１８内から同軸上に引き出されて内バネ７の弾接力によりその状態が維持されると共に、そのホイップ部２１と導通している下ストッパ２８を外バネ１７が弾接保持する。
【００６９】
そして、このときにアンテナとしてはホイップ部２１が機能し、その送受信信号は、下ストッパ２８は、外バネ１７およびホルダ１６を介して筐体１８内の電気回路（図示せず）に伝達される。
【００７０】
一方、図２に示すホイップ部２１が使用機器である携帯電話の筐体１８内に収納状態である場合には、外バネ１７は給電金具３の外周部を弾接保持し、このときにアンテナとして機能するトップ部２の第一アンテナ素子１からの送受信信号は、給電金具３、外バネ１７およびホルダ１６を介して筐体１８内の電気回路に伝達される。
【００７１】
なお、上記のいずれの状態であっても同じ送受信周波数帯域が送受信できるよう、ホイップ部２１およびトップ部２の第一アンテナ素子１の有効線路長は、同一長に整合を取っていることは、従来の技術の場合と同じである。
【００７２】
以上のように、本実施の形態によるアンテナは、ホイップ部２１の二段目部分となるコイル部２２を構成する帯状体２３の形状を異形状として、コイル部２２の外周面に大きな幅および段差を持つ螺旋状の窪み部２４を備えさせたものであるため、この窪み部２４を活用してカシメ固定するのみで、上ストッパ２６や下ストッパ２８を強固に固着させることができる。
【００７３】
そして、その上ストッパ２６および下ストッパ２８のカシメ部２７および２９は、大きな幅や段差の窪み部２４内に食い込んでいる場合があるため、これによって固定された上ストッパ２６および下ストッパ２８は、ガタツキ少なくコイル部２２に固定され、ホイップ部２１の伸張時における対応周波数帯域の変動も少なくできる。
【００７４】
また、上ストッパ２６の大径孔部２５Ｃ、および下ストッパ２８の上方開口穴部２８Ａとしては、従来の技術のもののようにネジ部を必要としない単なる円形状のものでよくなるため、加工性は少し劣るが比重の小さいアルミニウムなどを採用できるようになり、結果としてアンテナを軽量化することも可能となる。
【００７５】
さらに、上記のカシメ固定方法は、ネジ止め方法に対して少ない製造工数で行えるため、アンテナの製造工数を低減させる効果も期待できる。
【００７６】
また、コイル部２２がチューブ１３等で被覆されたもの、つまりコイル部２２の外周面に構成された螺旋状の窪み部２４が視認し難いものであっても、螺旋状の窪み部２４に対して所定角度を持つように水平方向でリング状にカシメ固定することによって、必ずそのカシメ部２７や２９内に窪み部２４の箇所を含ませることができるようになるため、上ストッパ２６や下ストッパ２８をコイル部２２に容易かつ強固で工数少なくカシメ固定できて、ガタツキ少ない高品質のアンテナにできる。
【００７７】
なお、上記には、上ストッパ２６および下ストッパ２８をコイル部２２にリング状でカシメ固定したものを説明したが、その他のカシメ形状のものとしてもよい。
【００７８】
例えば、図４の側面図に示すように、上ストッパ３１の当該位置をコイル部２２の螺旋状の窪み部２４に合わせて押し込み加工等を施し、螺旋状のカシメ部３２によってカシメ固定したものとすると、最もカシメ固定力が高くでき、デザイン上も優れたものにできる。
【００７９】
また、図５の側面図に示すように、コイル部２２の窪み部２４の位置を含むようにして、上ストッパ３３をドット状に押し込み加工等を施し、ドット状のカシメ部３４によってカシメ固定したものとすると、そのカシメられる部分の周囲の肉部分からの影響が少なくでき、個々のドット状のカシメ部３４は、より大きな固定力で固定されるようになるため、上ストッパ３３は、上記のリング状にカシメ固定した場合と、ほぼ同等の固定力となって安定したものとなる。
【００８０】
なお、上述の図４および図５に示したカシメ方法は、下ストッパに適用してもよい。
【００８１】
さらに図６の側面図に示すように、上ストッパ３５の下端部３６全周を内側方向にすぼめてカシメ固定したものとすると、そのカシメ部３７にはコイル部２２の螺旋状に形成された窪み部２４に対応する部分が必ずあるため、強固かつ容易に上ストッパ３５がコイル部２２にカシメ固定できる。
【００８２】
また、このカシメ部３７によって固定された上ストッパ３５は、外周面に凹凸の無い良好な摺動面を備えたものにでき、アンテナの伸張収縮時にホルダ１６の外バネ１７と当接した際の摺動感触が、滑らかで良好なものにできる。
【００８３】
そして、それと同様に、図７の側面図に示すように、下ストッパ３８の上端部３９全周を内側方向にすぼめるようにカシメ固定したものとしても、そのカシメ部４０にはコイル部２２の螺旋状に形成された窪み部２４に対応する部分が必ずあるため、強固かつ容易に下ストッパ３８がコイル部２２にカシメ固定でき、かつその下ストッパ３８の外周面には、凹凸が無くせるため、アンテナの伸縮収縮時にホルダ１６の外バネ１７と当接した際の摺動感触が滑らかで良好なものにできる。
【００８４】
【発明の効果】
以上のように本発明によるアンテナは、上ストッパまたは下ストッパがコイル部の外周面に設けられた螺旋状の窪み部に食い込まされるよう上記コイル部の軸線方向に対して直交する水平方向で複数箇所をリング状にカシメ固定すると共に、そのカシメ位置の間隔を、上記コイル部の窪み部のＮターン（Ｎは０を含む整数）間のピッチ＋１ターン分の１／２ピッチとしてカシメ固定したものであるため、第二段目となるコイル部の上下端に固定される上ストッパや下ストッパが、材質に依存しない簡単な形状のものですみ、その上ストッパや下ストッパが上記コイル部に製造工数少なく強固に固定されたアンテナとして実現できるという有利な効果が得られる。
【図面の簡単な説明】
【図１】本発明の一実施の形態によるホイップ式のアンテナが伸張された状態を示す断面図
【図２】同図１に示すアンテナが使用機器の筐体に収納された状態を示す断面図
【図３】同図１の状態に相当する外観斜視図
【図４】同他の形状のカシメ部でコイル部にカシメ固定された上ストッパ部分の部分断面の側面図
【図５】同他の形状のカシメ部でコイル部にカシメ固定された上ストッパ部分の側面図
【図６】同他の形状のカシメ部でコイル部にカシメ固定された上ストッパ部分の側面図
【図７】同他の形状のカシメ部でコイル部にカシメ固定された下ストッパ部分の側面図
【図８】従来のホイップ式のアンテナが伸張された状態を示す断面図
【図９】同図８に示すアンテナが使用機器の筐体に収納された状態を示す断面図
【符号の説明】
１  第一アンテナ素子
２  トップ部
３  給電金具
４  ジョイント部
６  直線状素子
６Ａ  導電金属線
６Ｂ  チューブ
７  内バネ
７Ａ  円弧状部
１２  スペーサ
１３  チューブ
１６  ホルダ
１６Ａ  孔
１７  外バネ
１８  筐体
２１  ホイップ部
２２  コイル部
２２Ａ  孔
２３  帯状体
２３Ａ  突起
２４  窪み部
２５  段差付き中央孔
２５Ａ  中間段部
２５Ｂ  細径円形孔
２５Ｃ  大径孔部
２６，３１，３３，３５  上ストッパ
２７，２９，３２，３４，３７，４０  カシメ部
２８，３８  下ストッパ
２８Ａ  上方開口穴部
３６  下端部
３９  上端部
【図１】
0003835197.tif 000002
【図２】
0003835197.tif 000003
【図３】
0003835197.tif 000004
【図４】
0003835197.tif 000005
【図５】
0003835197.tif 000006
【図６】
0003835197.tif 000007
【図７】
0003835197.tif 000008
【図８】
0003835197.tif 000009
【図９】
0003835197.tif 000010